(57)【特許請求の範囲】
【請求項１】
取付部に設置するためのピペット先端部であって：
−長軸（６）；および
−前記取付部上を滑走するための、長軸（６）方向に延びる接合部分（１４）を有し、前記接合部分（１４）が、少なくともいくつかの部分において、滑走装着方向（２）と反対向きに円錐状に先細りし、かつ、長軸（６）に関して円筒形のガイド面（４５，４６，７２）と一体化される、内壁（７０）を有する少なくとも一部分（４０，４２）を有すること、
前記接合部分（１４）が、第１部分（４０）、および、滑走装着方向（２）において前記第１部分（４０）から軸方向に外れて配置される第２部分（４２）を有し、かつ、前記第１部分（４０）の方が、前記第２部分（４２）よりも小さい放射方向延長部を有すること、
前記ピペット先端部が、第１および第２部分（４０，４２）の間に密封部分であって、取付部の密封要素と相互作用を持つように、軸にそって滑走装着方向（２）に向く密封面（４３）を有する密封部分を持つことを特徴とする、ピペット先端部。
【請求項２】
前記内壁（７０）が、長軸（６）に対して長軸方向に、０．２°を超える角度を有することを特徴とする、請求項１に記載のピペット先端部。
【請求項３】
前記内壁（７０）が、長軸（６）に対して長軸方向に、０．５°と３°の間の角度を有することを特徴とする、請求項１に記載のピペット先端部。
【請求項４】
前記第１部分（４０）が、前記円筒形ガイド面（４５）が一体化される、円錐形に延びる内壁（７０）を有することを特徴とする、請求項２または３に記載のピペット先端部。
【請求項５】
前記第１および第２部分（４０，４２）が、それぞれ、円錐形に延びる内壁を有し、かつ、該内壁のそれぞれに対し、円筒形ガイド面（４５，４６，７２）が一体化されることを特徴とする、請求項２から４のいずれか１項に記載のピペット先端部。
【請求項６】
前記ピペット先端部が、前記取付部の保持要素と相互作用を持つように、前記第２部分（４２）の内壁に配置される、少なくとも一つの保持手段（４７）を有することを特徴とする、請求項１から５のいずれか１項に記載のピペット先端部。
【請求項７】
前記保持手段（４７）が、アンダーカットであることを特徴とする、請求項６に記載のピペット先端部。
【請求項８】
前記ピペット先端部が、射出成形部分であることを特徴とする、請求項１から７のいずれか１項に記載のピペット先端部。
【請求項９】
前記接合部分（１４）が、末端領域であって、前記接合部分（１４）の残余領域に対しより屈曲性に富むように実体化される末端領域を含むことを特徴とする、請求項１から８のいずれか１項に記載のピペット先端部。
【請求項１０】
前記接合部分（１４）が第１材料（８０）から成り、かつ、前記長軸方向に延び、前記第１材料よりも弾性の高い第２材料によって充填される切痕（８２）を有することを特徴とする、請求項１から９のいずれか１項に記載のピペット先端部。
【請求項１１】
前記密封部分が、前記第１および第２部分（４０，４２）の間のショルダーであることを特徴とする、請求項１から１０のいずれか１項に記載のピペット先端部。
【請求項１２】
前記密封部分と前記保持手段（４７）の間の距離が、前記保持手段（４７）の放射方向延長部よりも大きいことを特徴とする、請求項６から１１のいずれか１項に記載のピペット先端部。
【請求項１３】
前記第１部分に配置されるガイド面（４５，７２）と前記保持手段（４７）との間の距離が、前記保持手段（４７）の放射方向延長部よりも大きいことを特徴とする、請求項６から１２のいずれか１項に記載のピペット先端部。
【請求項１４】
前記密封部分が、前記円筒形ガイド面（４５，７２）および保持手段（４７）の間に配置されることを特徴とする、請求項６から１３のいずれか１項に記載のピペット先端部。
【請求項１５】
軸方向に延びる長軸（６）、および、自由端（８）であって、それから、ピペット先端部（１０）が軸方向に、接合要素（４）の上を滑走することが可能とされる自由端（８）を持つ接合要素（４）を有する、ピペット先端部を取り付けるためのデバイスにおいて、前記接合要素が：
−弾性材料から製造され、軸および放射方向に延びる密封部分（２３，２３'）であって、軸方向に、前記接合要素（４）の自由端（８）に向かって暴露され、それに対し前記ピペット先端部（１０）の密封面（４３）を、少なくとも部分的に軸方向に押しつけることが可能な密封部分（２３，２３'）を持つ、密封要素（２１，２１'）を有することを特徴とする、前記デバイス。
【請求項１６】
前記接合要素（４）が、前記ピペット先端部（１０）を側方に配向するために、その外側に少なくとも一つの一体部品、または複数部品のガイド要素（２５，２６）を配置させることを特徴とする、請求項１５に記載のデバイス。
【請求項１７】
前記接合要素が、前記接合要素の外側に、互いに軸方向に離れて設けられる二つのガイド要素（２５，２６）を有することを特徴とする、請求項１６に記載のデバイス。
【請求項１８】
前記ガイド要素（２５，２６）が、それぞれ、放射方向に周回する、指定の、かつ一定の、放射方向延長部を有するガイドリングを形成し、前記ガイドリングが、それぞれ、異なる放射方向延長部を有し、かつ、互いに独立に、連続的および／または断続的に実体化されることを特徴とする、請求項１７に記載のデバイス。
【請求項１９】
前記ガイド要素同士（２５，２６）が、互いに、距離（ｄ）離れ、前記距離（ｄ）が、前記ガイド要素の放射方向延長部（Ｄ）、または、前記二つのガイド要素の大きい方の放射方向延長部（Ｄ）と少なくとも同じ大きさであることを特徴とする、請求項１７または１８に記載のデバイス。
【請求項２０】
前記軸方向密封部分（２３，２３'）に対し前記ピペット先端部（１０）の前記密封面（４３）を押しつけるため、および／または、前記ピペット先端部を軸方向に位置決めするため、前記接合要素（４）が、前記ピペット先端部の保持手段（４７）と相互作用を持つように、少なくとも一つの保持要素（２７，５７）を、その外側に配置させることを特徴とする、請求項１５から１９のいずれか１項に記載のデバイス。
【請求項２１】
前記接合要素（４）が、前記接合要素の前記自由端（８）近傍に配置される第１部分（２０）、および、前記ピペット先端部の押し込み方向において前記第１部分（２０）に対し軸方向に外れて配置される第２部分（２２）を有することを特徴とする、請求項１５から２０のいずれか１項に記載のデバイス。
【請求項２２】
前記第１部分（２０）が、前記第２部分（２２）よりも、各点においてより小さい放射方向延長部を有することを特徴とする、請求項２１に記載のデバイス。
【請求項２３】
第１および第２部分（２０，２２）に対し、それぞれのガイド要素（２５，２６）が配置されることを特徴とする、請求項２１または２２に記載のデバイス。
【請求項２４】
前記密封要素（２１，２１'）が、前記第１および第２部分（２０，２２）の間に配置されることを特徴とする、請求項２１から２３のいずれか１項に記載のデバイス。
【請求項２５】
前記保持要素（２７，５７）が、前記第２部分（２２）の上に配置されることを特徴とする、請求項２１から２４のいずれか１項に記載のデバイス。
【請求項２６】
前記密封要素（２１，２１'）が、フルオロエラストマーから成ることを特徴とする、請求項１５から２５のいずれか１項に記載のデバイス。
【請求項２７】
前記保持要素が、前記接合要素の外側に置かれる辺縁陥凹（３０）の中に配置される辺縁バネ要素（２７）であることを特徴とする、請求項２０から２６のいずれか１項に記載のデバイス。
【請求項２８】
前記保持要素が、前記接合要素の外側に、部分的または環状周回的に配置され、剛性または屈曲性である、一つ以上の放射状突起（５７）を有することを特徴とする、請求項２０から２６のいずれか１項に記載のデバイス。
【請求項２９】
前記保持要素（２７，５７）が、前記ピペット先端部の押し込み方向から見ると、全てのガイド要素（２５，２６）の後ろに配置されることを特徴とする、請求項２０から２８のいずれか１項に記載のデバイス。
【請求項３０】
前記密封要素（２１，２１'）が、その材料断面において弾性的に変形可能であることを特徴とする、請求項１５から２９のいずれか１項に記載のデバイス。
【請求項３１】
前記接合要素（４）が、ピペット先端部をあらかじめ調整するために、前記自由端（８）において挿入傾斜帯（６８）を有することを特徴とする、請求項１５から３０のいずれか１項に記載のデバイス。
【請求項３２】
ピペット駆動デバイスであって：
（ａ）請求項１５から３１のいずれか１項に記載のピペット先端部を取り付けるためのデバイス；および、
（ｂ）前記ピペット先端部を取り付けるためのデバイスの接合要素（４）に対し脱離可能に連結することが可能で、かつ、密封面（４３）であって、前記接合要素（４）の前記長軸（６）に沿って、前記接合要素（４）の方向を向いた軸方向面を形成する密封面（４３）を有するピペット先端部（１０）を有し、
接合状態において、前記接合要素（４）の前記密封部分（２３，２３'）の少なくとも一部が、前記ピペット先端部（１０）の前記密封面（４３）の少なくとも一部に対して軸方向に押しつけられることを特徴とする、ピペット駆動デバイス。
【請求項３３】
接合要素（４）、および、前記接合要素（４）に対し脱離可能に連結することが可能な、請求項１から１４のいずれか１項に記載のピペット先端部（１０）を有するピペット駆動デバイスであって、
−前記接合要素（４）は、前記ピペット先端部（１０）を側方に配向するために、その外側に少なくとも一つのガイド要素（２５，２６）を配置させ、かつ、前記ピペット先端部（１０）の有するガイド面（４５，４６，７２）と同数のガイド要素（２５，２６）を持ち、
−前記一つまたは複数のガイド要素（２５，２６）は、一体部品、または複数部品として、互いに独立に実体化され、
−各ガイド要素（２５，２６）は、それぞれ、円筒形ガイド面（４５，４６，７２）に対応し、前記ピペット先端部（１０）において部分表面と相互作用を持つ、円筒形側面の少なくとも部分的表面を有し、かつ、
前記接合要素（４）が：
−弾性材料から製造され、軸および放射方向に延びる密封部分（２３，２３'）であって、軸方向に、前記接合要素（４）の自由端（８）に向かって暴露され、それに対し前記ピペット先端部（１０）の密封面（４３）を、少なくとも部分的に軸方向に押しつけることが可能な密封部分（２３，２３'）を持つ、密封要素（２１，２１'）を有することを特徴とする、ピペット駆動デバイス。
【請求項３４】
前記接合要素（４）が、前記ピペット先端部（１０）の少なくとも一つの保持手段（４７）と相互作用を持つように、その外側に少なくとも一つの保持要素（２７，５７）を配置させ、前記少なくとも一つの保持要素（２７，５７）が、前記少なくとも一つの保持手段（４７）に対し、剛性的に、または、屈曲的に構成されることを特徴とする、請求項３３に記載のピペット駆動デバイス。
【発明の詳細な説明】
【技術分野】
【０００１】
本発明は、規定分量採取／投与技術分野に属し、ピペット先端部を登載し、位置決めするためのデバイス、およびピペット先端部に関する。
【背景技術】
【０００２】
ピペット先端部は、少量の液体を分量採取するために、長軸にそって延びる中央貫通孔を有する、細長い、通常、円錐形のテーパ状スリーブである。ピペット先端部は、その拡大末端（接合末端）において、ピペット駆動デバイスの適切な登載部に滑走結合され、軸的に拡大末端と対向する、尖頂末端において、分量採取される媒体の中に浸漬される。通常、ピペット先端部は、一回のみ使用として意図される、すなわち、ピペット先端部は、一度使用されると廃棄される。
【０００３】
ピペット駆動デバイスは、比較的少量の液体（例えば、マイクロリットル範囲）を分量採取しなければならない、広く全ての領域において、例えば、分子生物学において使用される。ピペット駆動デバイスは、手動のピペット駆動デバイスの形状を取ることも可能であるし、あるいは、単一のピペット駆動ユニット、あるいは、同時に、または別々に活性化される多数の個別ピペット駆動ユニットを備える、ピペット駆動機またはピペット駆動ロボットの形状を取ることも可能である。
【０００４】
ピペット駆動デバイスの基本操作モードは、ある指定容量の流体が、例えば、シリンダーの中を移動させられるという事実に基づく。この場合、シリンダーは、その出力側において、ピペット先端部の貫通孔に気密に接続され、そのため、一定容量の流体の移動によって、対応する容量の、分量採取される媒体が、ピペット先端部の尖頂端から吸引される。正確な分量採取を確保するために、ピペット先端部は、ピペット駆動デバイスに、確実に緊密に接続されなければならない。このことは、個々のピペット先端部の確実な合致および正確な位置決めが人間の手でチェックすることができないピペット駆動機の場合はなおさら必要である。さらに、ピペット駆動装置の製造は、できるだけ維持が簡単で、コスト有効的なやり方で行わなければならない。
【０００５】
ピペット先端部を受容するための保持装置を備えたピペット駆動デバイスがいくつか知られる。例えば、特許文献１、特許文献２、特許文献３、および特許文献４は、その接合末端の内壁に、一体に形成される辺縁密封ストリップであって、登載部の外周面に対して放射方向にピペット先端部を密封するストリップを有するピペット先端部を記載する。同時に、ピペット先端部の側方の位置決め方向性も、このようにして実現することが意図される。
【０００６】
さらに、複雑に実体化される放射状シールが、特許文献５および特許文献６に記載される。これらの密封部は、ピペット先端部の内壁と一体に形成され、登載部の外周面に対して密着することが意図される、密封リップから成る。ではあるが、この密封リップを製造するための製造コストは比較的高い。さらに、密封リップを備えるピペット先端部の側方方向の合致は、十分に確保することができない。
【０００７】
さらに、ピペット先端部を軸方向に、すなわち、ｚ方向に決めるために、軸方向決め手段を設けることが可能である。これらの手段は、例えば、特許文献７、特許文献８、特許文献９、特許文献１０、特許文献１１、特許文献１２、および特許文献１３に記載される。
【０００８】
前述のピペット先端部は全て、登載部の外周面の上に、辺縁シールを皺壁密着させることによって保持される。一方、特許文献１４は、ピペット先端部貫通孔の内壁と一体に形成され、ロック式登載具が、登載部外周面を取り囲んだ後嵌合する、別々のロック式リブによる固定を開示する。
【０００９】
剛性密封カラーを備える保持デバイスが、特許文献１５に記載される。この密封カラーは、ピペット先端部の壁厚が、密封表面領域において十分薄いために、該密封カラー上を滑走する際若干拡張することが確保されるため、ピペット先端部の密封表面と放射方向に相互作用を持つ。
【００１０】
特許文献１６は、ピペット先端部を放射方向に密封するための、Ｏ−リング付きの保持デバイスを記載する。
【００１１】
ピペット先端部と保持デバイスの間の放射方向密封部であって、保持デバイスが、ピペット先端部の密封部分に対応する円筒形密封部分を有し、ピペット先端部側の密封部分の領域の壁厚は、その構成において、隣接領域よりも薄く、したがってより屈曲性に富む、密封部が、特許文献１７に記載される。これは、ピペット壁の内側および外側の壁厚を減らすことによって実現される。円筒形弾性密封部分を有するピペット先端部は、特許文献１８にも記載される。
【００１２】
特許文献１９は、ピペット先端部を放射方向に密封するための、環状皺壁シールを有するピペット駆動デバイスを開示する。密封するためには、移動可能な皺壁スリーブが、環状皺壁シールに押しつけられ、このため、前記皺壁シールは、外側放射方向に、ピペット先端部貫通孔の内壁に形成される環状溝の中に押し込められる。環状にステップ状付着部を有し、ピペット先端部を軸方向、放射方向に位置決めするために働く接合スリーブは、軸方向、皺壁シールの上流、ピペット先端部の方向に配置される。特許文献１９のピペット駆動デバイスの場合、ピペット先端部は、皺壁シールによって保持、密封される。ただし、前記皺壁シールは、その活性化のために可動要素を必要とする。このため、維持および実用コストがより高くなる。さらに、皺壁シールは、曲げ仕事を要するため、磨耗の増加を招き易い。
【先行技術文献】
【特許文献】
【００１３】
【特許文献１】ＵＳ  ２００２／０９４３０２
【特許文献２】ＵＳ  ４  ６７９  ４４６
【特許文献３】ＤＥ  １９７  ０８  １５１
【特許文献４】ＵＳ  ４  ７４８  ８５９
【特許文献５】ＵＳ  ２００３／２１９３５９
【特許文献６】ＵＳ  ２００４／０１１１４５
【特許文献７】ＵＳ  ６  １６８  ７６１
【特許文献８】ＵＳ  ２００３／０８２０７８
【特許文献９】ＣＡ  ２  １２２  ２４４
【特許文献１０】ＵＳ  ６  ２４８  ２９５
【特許文献１１】ＥＰ  １４８  ３３３
【特許文献１２】ＵＳ  ６  ９７３  ８４５
【特許文献１３】ＵＳ  ４  ８２４  ６４１
【特許文献１４】ＵＳ  ５  ２００  １５１
【特許文献１５】ＵＳ  ２００３／００００３１９
【特許文献１６】ＥＰ  １  ３１９  ４３７
【特許文献１７】ＥＰ  ０  ３５１  ５７４
【特許文献１８】ＷＯ  ００／２７５３０
【特許文献１９】ＷＯ  ００／６２９３３
【発明の概要】
【課題を解決するための手段】
【００１４】
したがって、このような背景の下に、本発明は、従来技術に比べて、正確な分量採取を可能とし、磨耗、維持、および製造コストに関して改良される製品特性を有する、ピペット先端部を登載するためのデバイス、または、対応するピペット先端部を提供するという目的に基づく。したがって、本発明は、長軸方向に延びる長軸、および、自由端であって、それからピペット先端部が、軸方向に、接合要素の上を滑走することが可能とされる自由端を持つ接合要素を有する、ピペット先端部を登載するためのデバイスにおいて、該接合要素が：
−弾性材料から製造され、軸および放射方向に延びる密封部分を有し、該密封部分は、軸方向に、前記接合要素の自由端に向かって暴露され、かつ、それに対し前記ピペット先端部の密封部分を、少なくとも部分的に軸方向に押しつけることが可能な密封部分を有することを特徴とする、デバイスを提案する。
【００１５】
本発明の一局面によれば、接合要素は、ピペット先端部を長軸に対し側方に配向(orienting)するために、その外側に、少なくとも一つのガイド要素をさらに配置させることが可能である。
【００１６】
本発明のさらに別の一局面によれば、ピペット先端部の密封部分を、軸密封部分に押しつけ、ピペット先端部を軸方向に位置決めするために、保持要素を、ピペット先端部の保持手段と相互作用を持つように、接合要素の外側に配置することが可能である。
【００１７】
本発明によれば、ピペット先端部は、軸方向に活動するシールによって、接合要素に対して密封される。このために、接合要素は、それに対しピペット先端部の密封部分を軸方向に押しつけることが可能な、弾性密封要素を有する。軸方向シールの利点は、放射方向シールよりもはるかに磨耗しにくいことである。放射方向シールは、十分に皺壁密着し、したがって十分なシールが実現されるまで、登載部の外周面の上を摩擦滑走しなければならないか、あるいは、前述の、ＷＯ  ００／６２９３３の皺壁シールの場合のように、相当の屈曲作業を受ける。一方、軸方向シールの場合、対応する密封部分は、単に、密封部に対して押しつけるだけでよい。したがって、本発明による登載部は、はるかに長い使用寿命を持ち、はるかに磨耗されにくい。この場合、密封要素は、接合要素の材料よりも高い弾性を持ち、より優れた弾性変形性を示す材料から成る。この密封要素は、軸方向密封部分、すなわち、軸方向から接近が可能な部分、例えば、ピペット先端部の密封部分を軸方向に押しつけることが可能な端面を有する。
【００１８】
さらに、密封部、および登載または連結部が、空間的にも機能的にも互いに分離される点が有利である。すなわち、密封要素および保持要素は、別要素として実体化される。密封要素は、ピペット先端部を、接合要素の上に密封する。さらに、密封要素は、軸密封作用のために、軸方向位置決め手段としても働く。にも拘わらず、ピペット先端部は、このシールによって保持も、連結もされない。この機能は、ピペット先端部上の関連保持手段と相互作用を持ち、前記ピペット先端部が、軸方向にぶれることが無いように確保する、保持要素によって実行される。この場合、ピペット先端部の密封部分は、密封要素の軸密封部分に対して押しつけられると同時に、一方では、所望の密封作用が実現され、他方では、ピペット先端部の軸方向位置が、保持要素および密封要素によって決められる。この保持要素は、接合要素およびピペット先端部の間の、分離可能な接続を可能とする。
【００１９】
最後に、有利なことに、接合要素上のピペット先端部の側方、または放射方向の位置決めは、登載部側のガイド要素と、ピペット先端部内壁の、通常円筒形表面の、対応ガイド要素との相互作用によって確保される。
【００２０】
密封機能、および登載機能さらに側方ガイドの分離は、特に、ピペット駆動機の場合有利である。なぜなら、このようにすると、軸方向密封部と保持要素との相互作用によって、軸方向の位置決め（ｚ位置）を正確に定めることが可能となるからである。一方、放射方向皺壁シールの場合、指定の軸方向位置決めが阻まれることが考えられる。さらに、本発明による登載デバイスは、低摩耗シールを有し、ピペット先端部の正確な位置決め、さらに、その確実な登載を可能とする。
【００２１】
本発明はさらに、登載部に設置するためのピペット先端部であって：
−長軸の周囲に延びる側面；および
−該ピペット先端部の第１軸末端の近傍にあって、滑走装着方向に配置される接合部分を有し、該接合部分が、少なくともいくつかの部分において、滑走装着方向と反対向きに円錐状に先細りし、かつ、長軸に関して円筒形のガイド面と一体化される、内壁を有する少なくとも一部分を有することを特徴とする、ピペット先端部に関する。
【００２２】
この一体化される、円筒形ガイド面は、長軸に平行に長軸方向に延びることが好ましい。これによって、ピペット先端部のガイド面が、登載部のガイド要素と相互作用を持つ際、ピペット先端部は、その軸位置とは無関係に、指定の放射方向位置を取ることが可能とされる。したがって、ピペット先端部は、該ピペット先端部と登載部との、相互の相対的軸運動がガイド面によって妨げられることなく、登載部の上を滑走することが可能となる。したがって、ガイド面は、ピペット先端部の軸方向位置には影響を及ぼさず、単にピペット先端部の放射方向の位置決めを行う、すなわち、軸および放射方向の位置決めは別々である。
【００２３】
内壁は、長軸に対して長軸方向に、通常、０．２°以上、好ましくは０．５°と３°の間、特に０．５°と１°の間の角度を持つ。この角度はさらに、約０．２°と１°の間、例えば、約０．３°となることも可能である。このように比較的小さい角度であるために、内壁は、中空断面のテーパー度が比較的低い場合には、射出成形用金型から製造済みピペット先端部をより簡単に取り出すための、金型離脱用面取りとして成形されることになる。
【００２４】
接合部分はさらに、第１部分、および、押し込み方向において第１部分から軸方向に外れて配置される第２部分であって、第１部分の方が、第２部分よりも小さい放射方向延長部を有する、二つの部分を持つことが可能である。さらに、接合部分は、第１および第２部分の間の密封部分であって、登載部の密封要素と相互作用を持つように、軸にそって押し込み方向に向く密封面を有する密封部分を持つことが可能である。さらに、接合部分は、登載部の保持要素と相互作用を持つように、第２部分の内壁に配置される保持手段を持つことが可能である。この円筒形ガイド面は、第１部分、第２部分、または両部分に配置することが可能である。
【００２５】
保持手段は、第２部分の内壁に形成されるアンダーカットであることが可能である。通常、ピペット先端部は、射出成形部分であるが、第１および第２部分の内壁は、長軸に平行に延びている、すなわち、金型離脱面取りを持たない。さらに、接合部分、特に、ピペット先端部の第２部分は、接合部分、または第２部分の領域で、他の領域に対しより屈曲性に富むように実体化され、第１軸末端の方に配置される領域を含むことが可能である。この屈曲性領域は、登載部に対するピペット先端部の設置、および、登載部からのピペット先端の離脱をやり易くする。この屈曲性を向上させ、かつ、目的に適うように調整するために、接合部分か、または接合部分の第２部分において延びる切痕を設け、前記切痕に、接合部分または第２部分の残余領域を構成する材料よりも弾性の高い第２材料を充填することも可能である。この場合、接合部分は、いくつかの異なる材料から成る。
【００２６】
密封部分は、第１および第２部分の間のショルダーおよびヒールによって形成することが可能である。
【００２７】
さらに別の局面によれば、長軸方向に延びる長軸、および、ピペット先端部が軸方向に、それから接合要素の上を滑走することが可能とされる自由端を持つ接合要素を有する、ピペット先端部を登載するためのデバイスにおいて、該接合要素がその外側に：
−互いに軸方向に離れて設けられる二つのガイド要素、および、
−ピペット先端部を軸方向に位置決めするために、ピペット先端部の保持手段と相互作用を持つ、ガイド要素とは別の保持手段を有することを特徴とする、デバイスが提案される。
【００２８】
保持要素は、接合要素の外側に適切に登載される屈曲性要素、または、外側に一体に形成される、または、外側に別に連結される、剛性または弾性要素、例えば、円周側面に部分的に、または環状に分布される、一つ以上の放射状突起であることが可能である。
【００２９】
さらに別の局面では、接合要素を有するピペット駆動デバイス、および、該接合要素に対し脱離可能に連結することが可能で、密封部分を有するピペット先端部であって、接合要素が、長軸方向に延びる長軸、および、ピペット先端部が軸方向に、それから接合要素の上を滑走することが可能とされる自由端を持つことを特徴とする、ピペット駆動デバイスおよびピペット先端部が提案される。接合要素はさらに、弾性材料から製造され、軸方向および放射方向に延びる密封部分であって、軸方向、接合部分の自由端に向かって暴露される密封部分を持つ、密封要素を有する。一方、ピペット先端部の密封部分は、接合要素の長軸に対し、好ましくは接合要素の方向を向く軸面として構成され、例えば、ショルダーによって形成することが可能である。接合状態では、接合要素の密封部分の少なくとも一部は、ピペット先端部の密封部分の少なくとも一部に対し軸方向に押しつけられていなければならない。ピペット駆動デバイスの接合要素はさらに、例えば、密封要素の特性および材料、ガイド要素の数、構成、および配置、または、保持要素の数、構成、および配置に関して、これまでに述べた、別の接合要素の特性を、個別に、または組み合わせて有することが可能である。
【００３０】
さらに別の局面では、接合要素を有するピペット駆動デバイス、および、該接合要素に対し脱離可能に連結することが可能なピペット先端部において、接合要素が、該ピペット先端部を側方に位置決めするために、その外側に少なくとも一つのガイド要素を配置させ、かつ、好ましくは、ピペット先端部の有するガイド面と同数のガイド要素を含むことを特徴とする、駆動デバイスおよびピペット先端部が提案される。この場合、一つの、または複数のガイド要素は、互いに独立に、好ましくは、一つの部品として、または複数の部分として実体化することが可能である。ピペット先端部は、長軸、および、登載部の上に滑走するための、長軸方向に延びる接合部を有する。接合部はさらに、少なくともいくつかの部分において、滑走方向と反対向きに円錐状に先細りする内壁であって、長軸に関して円筒形のガイド面が、少なくとも一つの接合側ガイド要素と相互作用を持つように一体化される内壁を有する少なくとも一部分を有する。接合部における、一つの、または複数のガイド要素は、各ガイド要素が、それぞれ、ピペット先端部の円筒ガイド面に対応して、該部分面と相互作用を持つ円筒側面から成る少なくとも部分面を有するように構成される。ピペット先端部はさらに、前述の別々のピペット先端部の特性、例えば、内壁、特異的部分、または保持要素の特性、材料、構成、および配置に関する特性を、個別に、または組み合わせて有することも可能である。さらに、この場合、ピペット駆動デバイスの接合要素は、前述の別々の接合要素の特性、例えば、ガイド要素の数、構成、および配置に関する特性を、個別に、または組み合わせて有することも可能である。さらに、接合要素は、前述の特性、構成、さらには適切材料を有する密封要素、および、数、構成、および配置に関してこれまでに述べた、一つ以上の保持要素を含むことが可能である。
【００３１】
接合要素はさらに、ピペット先端部の、少なくとも一つの保持手段と相互作用を持つように、その外側に、少なくとも一つの保持要素を配置させることが可能である。この場合、前記少なくとも一つの保持要素は、前記少なくとも一つの保持手段に対し剛性として実体化することが可能である。それとは別に、前記少なくとも一つの保持要素はさらに、前記少なくとも一つの保持手段に対し屈曲性に実体化することも可能である。
【００３２】
本発明を、以下に、図示される例示の実施態様に基づいて説明し、さらに別の利点および改良点を明らかにする。
【図面の簡単な説明】
【００３３】
【図１】図１は、実施例１による、接合要素を備える登載部およびピペット先端部の断面図である。
【図２】図２は、実施例１による、接合要素を備える登載部、および滑走装着されるピペット先端部の断面図である。
【図３】図３は、実施例２による、接合要素を備える登載部、および滑走装着されるピペット先端部の断面図である。
【図４】図４は、Ｘ−状密封要素を有する接合要素の詳細を示す。
【図５】図５は、実施例３による、接合要素を備える登載部の断面図である。
【図６】図６は、例示の第３実施例による接合要素の第１詳細を示す。
【図７】図７は、例示の第３実施例による接合要素の第２詳細を示す。
【図８】図８は、ピペット先端部の例示の第１実施例の接合部分を示す。
【図９】図９は、ピペット先端部の、例示の第２実施例を示す。
【図１０】図１０は、滑走装着ピペット先端部と合体した、さらに別の接合要素の三次元図である。
【図１１】図１１は、接合要素またはピペット先端部の、個々のガイド要素またはガイド面の、ガイド幅ｄｉ、外径Ｄｉ、および幅ｌｉ間の幾何学的比を示す。
【発明を実施するための形態】
【００３４】
ピペット駆動デバイスまたはピペット駆動機の上にピペット先端部を確実に連結し、保持するために、特異的登載部が使用される。本発明による登載部は、この目的のために、接合要素を有し、接合要素は、特に円筒形の基本要素を有し、かつ、登載部の自由端に向かって軸方向に暴露され、かつ、少なくとも部分的に放射方向に延びる密封部分を有する、弾性密封部分を含む。ピペット先端部の対応密封部分は、この密封部分に向かって軸方向に滑走させることが可能である。この場合、密封作用は、密封要素に対する軸方向の押圧によって実現される。通常、密封要素は、フルオロエラストマーから成り、例えば、Ｏ−リング、またはそうでなければ、Ｘ−リングとして実体化される。この場合、ＯおよびＸは、リング材料の断面を表す。他の断面、例えば、中空断面、またはＶ形断面も可能である。それぞれの断面の選択は、断面において材料弾性を与えるように意図される、すなわち、密封要素の断面は、特に、接合要素の長軸方向において弾性的に変形可能であり、そのため、きわめて優れた軸方向密封作用が可能となる。
【００３５】
接合要素はさらに、側方に−登載部の長軸に関して、ピペット先端部の位置および方向を決めるために、少なくとも一つのガイド要素を有する。特に、ガイド要素は、接合要素を放射方向に、好ましくは部分要素から成ることが可能な、放射方向に一定の延長分を持って、取り巻くように実体化することが可能である。この場合、ガイド要素は、接合要素の外側隣接部分を放射方向に上回って突出することも可能である。したがって、ガイド要素は、接合要素の隣接部分よりも、放射方向により大きな延長部を有する。これによって、接合要素とピペット先端部との、放射方向の接触が、事実上、ガイド要素のみによって確定され、そのため、ピペット先端部の側方または放射方向の位置決めが、ガイド要素によって実行されることが確保される。通常、ガイド要素は、ピペット先端部の内壁に対して定着するが、一方、この内壁の方も、対応するガイド要素またはガイド面を有することが可能である。このガイド要素は、環状であることが可能である。登載部側ガイド要素は、特に、結合要素の長軸に関して円筒形である、ガイド面、または部分面の形状を取る。このため、ピペット先端部の側方ガイドおよび方向性は、円錐形表面とは違って、軸方向位置決め手段から独立する。
【００３６】
本発明による登載部の一実施態様では、接合要素は、その外側に互いに軸方向に隔てられる二つのガイド要素を持つことが可能である。これによってさらに、ピペット先端部の、側方または放射方向の方向または位置決めの向上が実現される。さらに、接合要素およびピペット先端部の同軸方向性の向上も実現される、すなわち、登載部におけるピペット先端部の傾斜または斜向保持が阻止される。これは、特に、同時に活性化される、例えば、マトリックス形状に配置される、多数のピペット先端部を備えるピペット駆動機の場合有利である。
【００３７】
両ガイド要素が、放射方向の最大延長分と、少なくとも同じ大きさの軸方向間隔を有すると有利である。この、「ガイド要素の軸方向間隔」という用語は、この場合、互いにもっとも遠く隔たって位置する接触領域または接触端間の距離を指す。例えば、ガイド要素は、接合要素の周囲に放射方向に延び、異なる放射方向延長分、または異なる外径を有するガイドリングを定めることが可能である。この場合、軸方向間隔は、ガイド面の、それぞれの外縁または輪郭によって、すなわち、軸方向に互いにもっとも遠く隔てられる外縁によって定められる。この場合、リングは、任意に、連続的に周回するリングとして、またはそうでなければ、不連続リングとして実体化することも可能である。さらに、一方のリングを連続的周回リングとして、他方のリングを断続的リングとして実体化することも可能である。
【００３８】
ガイド要素、または、一つ、または複数のガイドリングは、ガイド面を定める、ある軸方向延長部を持つことが可能である。このガイド面の軸幅は、一つの、または複数のガイド要素の軸延長部の軸幅と事実上一致する。同様に、ガイド要素、または、一つまたは複数のガイドリングの軸方向延長部を減らしてゆき、最終的に、ガイド要素とピペット先端部の間に、一つ以上の、事実上直線的接触が残るようにすることが可能である。例えば、複数の、環状配置ガイド要素が使用されるとすると、対応する形状では、それぞれの場合において、ピペット先端部との、一つ以上の、点対点接触を確定させることが可能である。
【００３９】
通常、接合要素は、異なる放射方向延長部すなわち外径を有する、二つのガイド要素を有する。この二つのガイド要素の、それぞれからの軸方向間隔は、この二つの外径の大きい方と、少なくとも同じ大きさである。
【００４０】
本発明の、さらに別の実施態様では、接合要素は、該接合要素の自由端近傍、または自由端そのものに配置される第１部分、および、第１位置に対し、軸方向において、押し込み方向にずれて配置される第２部分を有する。通常、これらの部分は、事実上円筒形である。各部分はガイド要素を持ち、特に、自由端に直面する第１部分は、第２部分よりも、好ましくは各点においてより小さい放射方向延長部を有する。このために、二つの部分の間には、その上に密封要素を配置することが可能なステップが定められる。したがって、密封要素は、好ましくは第１および第２部分の間に置かれ、放射方向に、通常第１部分および同部分に配置されるガイド要素を超えて突出し、そのため、密封要素の一部は、接合要素の自由端から、軸方向に自由に接近可能とされる。
【００４１】
軸方向に向く、放射方向辺縁性密封面によって形成される、ピペット先端部の内方階段状ヒールは、例えば、密封要素に対して押しつけることが可能である。
【００４２】
接合要素はさらに、該接合要素の外側に配置され、ピペット先端部の、対応する保持手段と相互作用を持ち、脱離可能にピペット先端部を固定する、少なくとも一つの保持要素を有する。この場合、この保持要素は、特に軸方向固定を実現するが、そのため同時に、ピペット先端部の密封部分は、接合要素の軸方向密封部分にたいして軸方向に押しつけられる。さらに、一方では、密封要素と密封手段との相互作用、他方では、保持要素と保持手段との相互作用によって、ピペット先端部の、確実で、正確に指定の軸方向位置決めが実現される。保持要素は、屈曲性または剛性に実体化することが可能である。
【００４３】
保持要素は、屈曲性緊張要素、例えば、接合要素の外側に置かれる辺縁陥凹の中に配置される辺縁バネ要素であることが可能である。辺縁保持要素は、僅かな力を与えるだけで、ピペット先端部をその上に滑走させること、または、それから離脱させることを可能とする。さらに、屈曲性保持要素は、比較的磨耗しにくく、かつ、比較的欠陥寛容性が高い。なぜなら、それらの屈曲性のために、例えば、ピペット先端部の製造欠陥を部分的に補償することが可能となるからである。
【００４４】
それとは別に、保持要素はさらに、剛性として実体化され、例えば、放射状突起、例えば、接合要素の周囲に好ましくは環状に分布される、剛性カムまたはノブを有することが可能である。非環状分布体、または連続的リングも、剛性保持要素として好適である。剛性保持要素は、ピペット先端部中心をより正確に位置決めする点で、屈曲性保持要素よりも有利である。
【００４５】
保持要素の特定の構成の如何によらず、前記保持要素は、ピペット先端部の周辺において放射方向に設けられるアンダーカット、通常、ピペット先端部の貫通孔の内壁に配置されるアンダーカットと嵌合することが可能である。
【００４６】
本発明のさらに別の実施態様では、保持要素は、押し込み方向から見てみると、一つ、または複数のガイド要素の後ろに配置される。これによって、密封要素は、接合要素の自由端に向かう方向において、保持要素の前に配置されることになり、したがって、保持要素は、分量採取される媒体によって誤って汚染されることから確実に守られる。
【実施例１】
【００４７】
ここで、図１を参照しながら、実施例１を説明する。保持デバイスは、長軸６および軸方向に配置される貫通孔５を有する、軸的に対称な、通常事実上円筒形の接合要素４を含む。接合要素は、先導自由端８を持つ。ピペット先端部１０は、自由端８から接合要素４の上を滑走することが可能である。通常、ピペット先端部１０は、軸的に対称的な形状を持ち、その後端（接合末端、または第１軸末端）１２の近傍に、接合要素４の上を滑走する接合部１４を有する。ピペット先端部は、その接合部１４から、その先導尖頂末端（図には示さず）に向かって円錐状に先細りし、この尖頂末端において、分量採取される媒体を吸引するための吸引口を有する。
【００４８】
ピペット先端部は、通常、一回のみ使用のために意図され、射出成形部品として実体化される。加工が容易で、ピペット先端部用に好適な材料は、ポリプロピレンであり、このものは、液状において、かつ、任意に添加剤（例えば、染料）および／または充填剤と混ぜ合わせて、適切な射出成形金型に注入することが可能である。一旦このプロピレンが固化したならば、完成したピペット先端部は、射出成形金型から排除され、要すれば、ゲートが取り除かれる。
【００４９】
接合要素４は、通常、一金属片として形成され、その自由端８において第１部分２０を持つ。接合要素４の第２部分２２は、第１部分２０に対し、滑走装着方向２において軸方向にずれて配置される。第１部分２０は、第２部分２２よりも、好ましくは各点においてより小さい放射方向延長部を有し、そのため、滑走装着方向２において後方部分となる第２部分２２は、放射方向に、第１部分２０を超えて突出する。辺縁円筒形ガイド面の形状を持つ、それぞれのガイド要素２５，２６が、各部分の外側に配置される。長軸６に対して平行に長軸方向に延びるガイド要素２５，２６は、それぞれの部分２０，２２の隣接領域よりも、大きな放射方向延長部を有し、該隣接領域を超えて放射方向に延びる。これは、ピペット先端部１０が、放射方向において、ガイド面とだけ接触し、ガイド面と、接合部１４の内壁との相互作用の結果、接合要素４に対し、ピペット先端部１０の放射方向の方向または位置決めが定められることを確保することを意図するものである。同時に、軸方向に互いにずれて配置される二つのガイド要素２５および２６はさらに、ピペット先端部の斜向設置、または、接合要素４に対する、その傾きを阻止する。この二つのガイド要素２５，２６は、二つのガイド要素の大きい方、すなわち、この場合、第２ガイド要素２６の直径Ｄ（放射方向延長部）と、少なくとも同じ大きさの軸方向間隔ｄを有することが好ましい。これによってさらに、接合要素４におけるピペット先端部１０の同軸方向性の向上も実現される。この場合、間隔ｄは、ガイド要素２５，２６の、それぞれの外縁２８，２９の間隔によって定められる。これらの外縁は、ガイド要素２５，２６とピペット先端部間の接触部の軸端領域を形成する。
【００５０】
接合要素が、第１ガイド要素２５だけしか持っていない場合（図１０参照）、保持要素２７が、第１ガイド要素２５との相互作用によって、ピペット先端部の側方の方向性を決める機能を果たす。この場合、保持要素２７とガイド要素２５の間の距離ｄ1は、図３に示すように、前と同様、保持要素２７の直径Ｄ1よりも大とされる（さらに、図１１も参照）。
【００５１】
接合要素の第１および第２部分２０、２２と同様、ピペット先端部１０の接合部分１４も、第１部分４０および第２部分４２を有し、第１部分４０は、第２部分４２よりも小さな、放射方向延長部（直径）を持つ。このため、第１および第２部分４０、４２の間には、密封面４３として動作する、ステップまたはショルダー４３が形成される。
【００５２】
図示の例示の実施例では、第１および第２ガイド要素２５および２６は、事実上同様な形状を取る。ではあるが、これらのガイド要素のそれぞれに異なる形状を与えることも可能である。この例示の実施例では、ガイド要素２５，２６は、辺縁に実体化され、それぞれの接合要素側部２０，２２の、該要素を取り巻く外郭の上に突出して、一体的に形成されるリング形状を取る。このリングは、辺縁ガイド面を持ち、その断面は台形状である。
【００５３】
第１および第２部分２０、２２の間には、陥凹またはアンダーカット３４が延びる。このアンダーカットは、接合要素４の外側を放射方向に周回し、その中には、同様に放射方向に周回する密封要素２１が納まる。密封要素は、弾性材料から製造されるリング状密封部分であると好都合である。特に、フルオロエラストマーが、好適な材料であることが判明している。なぜなら、それらは、高い弾性、長い使用寿命、高い化学的耐性、および低い磨耗性を有するからである。この例示の実施例では、密封要素は、断面が四方形の固体リングとして実体化される。ではあるが、円形（Ｏ−リング）、またはＸ−形状の断面を有するリング状密封部分を使用することも可能である。例えば、Ｘ−形状断面を有するリング状密封部分は、個別の密封リップのために、Ｏ−密封部分よりも弾性が高く、したがって、接合要素に対するピペット先端部のシールをさらに向上させる。Ｘ−状断面を有する密封要素２１′が、例示として、図４に示される。密封要素２１′は、四つの密封リップを持つが、放射方向外方、自由端１２の方を指す密封リップ２３′は、軸方向密封部分２３となり、これに対し、ピペット先端部の対応密封部分が押しつけられる。
【００５４】
図１に示す密封要素２１は、第２部分と事実上同じ放射方向延長部を持ち、そのため、第１部分２０を超えて放射方向に突出する。したがって、密封部分２３は、事実上軸方向に、接合要素４の開放端８の方向に暴露される。密封部分２３は、軸密封面として働き、ピペット先端部１０の、辺縁に実体化される内部ショルダー４３に対し、軸方向に押しつけられる。ピペット先端部１０が、接合要素４の上に完全に設置されるところを示す、図２に関連して見られるように、密封要素２１の軸方向密封部分２３は、ピペット先端部の内壁と、特にショルダー４３と直接接触する。そのため、軸方向の密封、および同時にｚ方向の方向決めが同時に実現される。ｚ方向の方向決めはさらに、後述されるように、保持要素によっても決められる。
【００５５】
密封要素２１は、ピペット先端部の第２部分４２の内径よりもやや小さい外径を持つ。このため、ピペット先端部の内径は、滑走装着の際、密封要素２１に対し擦られながらガイドされることは、確実にない。そのため、該内径に課せられる負荷は、十分な密封作用を実現するために、従来型の円錐形テーパー表面に対し擦られながら滑走していかなければならない放射状密封部分よりも、はるかに少ない。したがって、本発明による軸方向密封要素２１の維持コストも、相当に低くなる。
【００５６】
接合要素４とピペット先端部１０の間の、放射方向の接触は、接合要素側面ガイド要素２５および２６、および、ピペット先端部１０の接合部分１４の第１および第２ガイド面４５および４６によって定められる。もっとも単純な場合、ピペット先端部側部ガイド面４５，４６を、ピペット先端部１０の、それぞれの部分４０，４２の内壁に形成することが可能である。ではあるが、ピペット先端部の内壁と一体の、隆起ガイド面を形成することも可能である。ピペット先端部側部接合部分１４の各部分は、円周を連続的に周回するか、または、円周上に分布する部分セグメントから成るガイド面４５，４６を有し、前記ガイド面の直径は、それぞれ関連する第１および第２ガイド要素２５，２６の外径に一致し、そのため、ピペット先端部１０の、形状適合性方向決定が実現される。
【００５７】
できるだけ正確な方向決めを可能とするには、対応するガイド面４５，４６は、金型離脱傾斜角をまったく持たない。射出成形部品に対しては、該部品をより容易に射出成形金型より離脱させることを可能とするため、金型離脱傾斜角を設けると好都合である。金型離脱傾斜角を持たないために、ピペット先端部側部ガイド面は、軸６に対して平行に軸方向に延びる。このため、ピペット先端部の放射方向または側方における方向性は、ピペット先端部が、どのぐらい奥まで接合要素の上を滑走したかに依存しない。円錐形テーパー状ガイド面の場合、前記ガイド面は、ピペット先端部が接合要素の上を滑走する際、接合要素に対し次第に緊く押しつけられるので、軸方向移動に対して抵抗すると考えられる。したがって、円錐形ガイド面は、軸方向性に影響を及ぼし、必要な押し込み力を増加させる。環状バネ２７を受容するための環状溝３０は、滑走装着方向において第２ガイド要素２６の後ろに形成される。この環状バネ２７は、保持要素として働き、ピペット先端部の第２部分４２の内側のアンダーカット４７と嵌合する。ピペット先端部の設置の際、前記ピペット先端部は、後端１２を前にして、第２ガイド要素２６および環状バネ２７の上を滑走させられ、滑走は、環状バネ２７が、アンダーカット４７の中にパチンと納まるまで続けられる。これによって、ピペット先端部は、軸方向に位置決めされ、接合要素に固定される。環状バネ２７およびアンダーカット４７は、脱離可能な接続であるが、同時に、ショルダー４３を軸密封部分２３に対し軸方向に押しつけ、接合要素に対しピペット先端部を密封するのに十分なほど安定な接続を定める。
【００５８】
接合要素の幾何学的形状にしたがって、ピペット先端部のガイド面４５および４６は、設置されると、接合要素側部ガイド要素と相互作用を持ち、通常、第２ガイド面４６の内径よりも大きな距離において互いに隔てられる。同様に、第２ガイド要素２６が接合要素に配置されない場合は、第１ガイド面４５およびアンダーカット（保持手段）４７の間の距離は、アンダーカット４７の陥凹の内径よりも大きい。通常、保持要素２７は、滑走装着方向２において第２ガイド要素２６の後ろに配置されるので、この関係は、二つのガイド要素２５，２６、またはガイド面４５，４６が使用される場合も適用される。第１ガイド要素２５は、密封部分２３に近接して配置することが可能である。したがって、ガイド面４５は、ショルダー４３に近接して実体化することが可能である。この場合、アンダーカット４７から、特に、アンダーカット４７の中心からショルダー４３までの距離も、通常、アンダーカット４７の内径よりも大きい。
【実施例２】
【００５９】
この状況は図１１に示される。同図は、例示の一実施例による接合要素４およびピペット先端部１０を示す。この例示の実施例では、接合要素４は、滑走装着方向２において接合要素２１の前、すなわち、接合要素４の第１部分２０に配置される表面として、第１ガイド要素２５を有する。接合要素４の第２部分２２における保持要素２７は、滑走装着方向２において密封要素２１の後ろに配置される。この例では、第２ガイド要素は設けられていない。ピペット先端部１０は、接合要素４のガイド要素２５に対応し、滑走装着方向２においてショルダー４３の密封部分の前、すなわち、ピペット先端部１０の第１部分４０に配置される、ガイド面４５を有する。この例では、ピペット先端部１０の内面は、やや円錐形に延びるところが示され、ガイド面４５は、ピペット先端部１０の壁に一体化される円筒面として実体化される。これは、図８に関連してさらに詳細に後述される。アンダーカットの形状を取る保持手段４７は、ピペット先端部１０の第２部分４２において、密封部分４３から離れて配置される。
【００６０】
接合要素４において、保持手段２７および保持要素２５は、互いに距離ｄ1だけ隔てられるが、この距離はまたガイド幅とも呼ばれる。ガイド幅ｄ1は、それぞれの要素の中心から求められる。保持手段２７および保持要素２５の軸延長（個々のガイド面の幅）は、それぞれ、ｌ1およびｌ2と表示される。保持手段２７の外径は、この場合、Ｄ1によって指定される。確実な登載および方向決めを可能とするためには、関係式ｄ1≧Ｄ1が満たされなければならない。それにしたがって、ピペット先端部１０のアンダーカット４７は、最大直径Ｄ2を有する。ガイド面４５は、アンダーカット４７から、距離ｄ2（ガイド幅）だけ隔てられる（いずれの場合も、前記ガイド面の中心に基づく）。アンダーカット４７およびガイド面４５の軸延長は、それぞれ、ｌ3およびｌ4によって指定され、ｌ4は、通常、ｌ2よりも大きく、そのため、円筒形ガイド面４５と、円錐形内壁（図８のヒール７４を参照）は、接合要素４の保持要素２５とは接触せず、ピペット先端部１０の接合要素４に対する滑走を妨げる。通常、下記が適用される：Ｄ1＝Ｄ2およびｄ1＝ｄ2であり、そのため、関係式ｄ2≧Ｄ2も同様に満足される。したがって、ガイド幅ｄ1およびｄ2、軸延長ｌ1、ｌ2、ｌ3、およびｌ4、およびさらに直径Ｄ1およびＤ2も互いに上記にしたがって適応し、それぞれの要素がその目的（ガイド面４５およびガイド要素２５は、側方方向決めのため；本例示の実施例では、保持要素２７およびアンダーカット４７は、側方方向および固定のため）を達成することを可能とする。この実施例では、固定はさらに、僅かな把捉と組み合わせることが可能である。
【００６１】
前述の幾何学的関係によって、第１および第２ガイド面２５，２６が、ピペット先端部側部ガイド面４５，４６と相互作用を持とうが持つまいが、あるいは、第１ガイド要素２５および保持要素２７が、共に、ピペット先端部側部第１ガイド面４５およびアンダーカット４７と相互作用を持とうが持つまいが（追加の第２ガイド要素２６なしで）、接合要素に対するピペット先端部の傾斜は十分確実に回避される。
【００６２】
十分な密封作用を実現するために、アンダーカット４７とショルダー４３の間の距離は、ショルダー４３が、密封部分２３に押しつけられ、十分な密封作用を実現することが可能となるように該距離が実体化されるように、できるだけ精密に厳守しなければならない。ではあるが、密封要素２１の弾性は、ある程度の許容度を可能とし、同じ材料について、Ｘ−状密封要素は、例えば、Ｏ−リングよりもやや高い許容度を可能とする。ショルダー４３とアンダーカット間の距離は、例えば、８から９ｍｍであることが可能である。ピペット先端部側部第２部分４２の内径は、ほぼ６ｍｍと７．５ｍｍの間にあることが可能であり、ピペット先端側部４０の内径は、ほぼ５ｍｍと６ｍｍの間にあることが可能である。
【００６３】
ピペット先端の進入の際、ピペット先端部の後端１２の、可逆的微小変化が起こり得る。なぜなら、後端は、それが環状リング２７を通過する際、僅かに引き延ばされるからである。したがって、ピペット先端部は、その後端において、ある程度まで弾性を持つように実体化されなければならない。この弾性は、材料厚を適切に選択することによって調節することが可能である。ではあるが、環状バネ２７を、ピペット先端部の設置の際は、頭を下げ、アンダーカット４７が通過する際は、その中に貫入することができるほど十分な屈曲性を持つように実体化することも可能である。
【００６４】
環状溝３０は、本例示の実施例では、傾斜内壁３１が、接合要素の先導端８に向かって円錐形に先細りするように実体化される。そのため、環状リング２７は、自由端８に向かう方向において軸方向に正確に配置される。なぜなら、該リングは、ピペット先端部によってやや放射方向に圧迫されるので、円錐形内壁３１のため、停止面５０の方向に押され、該停止面に対し押しつけられ、配置される。これによって、密封要素２１から発し、ピペット側密封部分４３を介してアンダーカット４７に伝えられる適合力が生じ、該アンダーカットは、力の流れを、環状バネ２７を介して停止表面５０に導く。このため、ピペット先端部は、接合要素に確実に連結され、方向を決められる。
【実施例３】
【００６５】
図３はさらに別の実施例を示す。この実施例では、使用される保持要素は、環状溝に配置される環状バネではなく、第２部分の円周上に均一に分布される剛性カム５７である。少なくとも三つのカムが有利である。図３から見て取れるように、カム５７は、切痕によって中断される辺縁突起リングとして一体的に形成される。ピペット先端部の接合部分の材料歪に関連して言えば、複数の、別々の剛性カムの方が、連続リングよりも有利である。なぜならば、連続リングは、ピペット先端部の滑走装着の際、接合部分１４後端１２の、著明な拡大を強制すると考えられるからである。一方、別々の剛性カムは、後端１２の、若干の変形を要求するのみで、三つのカムの場合であれば、第２部分４２の断面は、カムがピペット先端部側部アンダーカット４７と嵌合するまでは、著しく材料を引き伸ばされることもなく、やや三角形状を取るにすぎない。材料の引き伸ばしがないので、断面変形がやり易くなり、そのため、ピペット先端部を滑走装着するのに必要な力の印加において、相当の低下が可能とされる。それとは別に、使用される保持手段は、一体的に成形される円錐形表面、または取り付けノブ、または、一つ以上の取り付けリングであることも可能である。
【００６６】
例示の実施例１の場合と同様、カムは、ピペット先端部のアンダーカット４７と嵌合する。
【実施例４】
【００６７】
図５から７は、さらに別の、例示の実施例を示す。この実施例においても、使用される保持要素は、平行な側壁６１，６２、およびＶ−型内壁６３を有する環状溝６０の中に配置される環状バネ（図示せず）である。この環状溝６０は、一方では、環状バネが、軸方向に定められたやり方で登載され、他方では、放射方向において弾性的に変形可能であるという利点を持つ。これによって、ピペット先端部の設置がやり易くなり、環状バネの長い使用寿命が実現される。
【００６８】
図６および７は、接合要素の、環状溝６０、および第１および第２部分２５，２６の詳細を示す。これらの図はさらに、他の実施例においても使用が可能な、各ガイド要素を示す。
【００６９】
Ｖ−型内壁６３（図６）は、互いに鈍角で交差する、軸６に対して対称的に配置される、二つの部分表面を含む。第２ガイド要素２６は、接合要素側部第２部分２２の辺縁領域を超えて突出する。図から見られるように、対称的に実体化される、進入側接帯６５，６６は、第２ガイド要素２６の側方に一体に形成される。
【００７０】
第１部分２０では（図７）、後部進入側接帯６７および、ピペット先端部の中心をあらかじめ決めるための、前部円錐形挿入傾斜帯６８も、第１ガイド要素２５に対して軸的に実体化される。自由端８へ延びる挿入傾斜帯６８は、貫通孔５も終結する、端面６９において終結する。
【実施例５】
【００７１】
接合要素４の、さらに別の、例示の実施例が図１０に示される。この例示の実施例の場合、保持要素２７は、辺縁に配置され、例えば、リングの一部となる、別々のカム９０によって形成される。カム９０は、例えば、一体に形成されたリングにおいて、軸方向に延びる切痕９１を形成することによって簡単に形成される。この手順によって、前述の例示実施例と同様、ピペット先端部１０のアンダーカット４７であって、ピペット先端部１４の第２部４２に設けられるアンダーカットと嵌合することが可能な、別々の、この場合は、剛性のカム９０が生成される。カム９０とアンダーカット４７の間の相互作用によって、ピペット先端部１０の密封部分４３は、密封要素２１に対して軸方向に押しつけられる。リング、またはカム９０は、良好な形状合致を可能とするように、軸方向に、アンダーカット４７の輪郭に事実上一致する、面取り輪郭を持つことが可能である。
【００７２】
これまで開示した例示実施例とは対照的に、図１０に示す接合要素４は、接合要素４の第２部分２２の領域に、別の第２ガイド要素を持たない。カム９０は、ピペット先端部側部アンダーカット４７と相互作用を持つことによってこの機能を実行する。したがって、同様に、第２ピペット側部４２の第２ガイド面４６も無しで済ますことが可能である。次に、ピペット先端部１０は、押し込み方向にそって見た場合、第１部分４０の領域に第１ガイド面４５、第２部分４２への移行部にショルダー４３、および、ショルダー４３から離れて設けられる保持手段４７（この例では、アンダーカット）を有することが可能である。
【００７３】
接合要素４の第１部分２０の領域では、第１ガイド要素２５が、軸方向切痕９３を有する、円筒形外部輪郭を持つ辺縁リングによって形成される。この切痕９３によって、空間的に隔てられるリングセグメント９２、またはカムが生成される。リングの円筒形外部輪郭のために、各カム９２は、円筒形外部輪郭の一部を持つことが可能となり、そのため、これらの保持要素側部カム９２は、共同して、断続面の形状を持つ、辺縁ガイド要素を形成する。図７と比較すると、図１０に示す例示の実施例では、軸方向に延びる切痕９３が、第１ガイド要素２５の領域の中に形成されることが見て取れよう。カム９２は、ピペット先端部１４の第１部分４０の領域において内部の第１ガイド面４５と相互作用を持つことによって、接合要素４に対するピペット先端部１４の放射方向または側方の方向決めを行う。
【００７４】
これまで述べた接合要素は、手動式のピペット登載部に対してばかりでなく、多数の接合要素を有する、ピペット駆動機に対して配置することも可能である。このタイプのピペット駆動機はさらに別の成分、特に、ピペット先端部を露出するための手段を含む。従来、この手段は、接合要素に対し軸方向に相対的に移動することが可能で、ピペット先端部１０の後端１２後方に嵌合し、接合要素の滑走装着方向２と逆向きに前記ピペット先端部の上を滑走するストリッパーを含む。
【００７５】
図８は、ピペット側部接合部分のある部分（第１部分４０および／または第２部分４２）の拡大図である。この部分は、円錐形に先細りする内壁（内面）７０を有する。円錐角（内壁７０と長軸６の間の角度）は、僅かに数度であり、好ましくは０．５°と１°の間である。この僅かに円錐形の実施例は、射出成形部品としての形状を持つピペット先端部の、射出成形金型からの離脱をよりやり易くするために設けられる、金型離脱用面取りとも呼ばれるものである。このため、図から見て取れるように、接合部分の外壁（外面）７１も円錐形に延びる。円筒形ガイド面７２は、内壁７０と一体である、すなわち、ガイド面７２は、長軸６に平行な長軸方向に延びる。このため、ガイド面７２と内壁の間に、ヒール７４が形成され、ヒールの深さは、円錐角と、ガイド面７２の長軸延長に依存する。ガイド面が、円錐の拡大末端の方で円錐形内壁７０と直接融合すると有利である。
【００７６】
ガイド面７２が、軸方向において、ピペット先端部の、十分精密な方向決めを可能とするためには、ピペット先端部の壁は、この領域において十分な剛性を持つように実体化されなければならない。前述したように、円錐角は、通常きわめて小さいものであるから、円筒形ガイド面７２の形成は、壁厚において無視できるほどの低下をもたらすにすぎず、したがって、ガイド面７２の領域においても十分な安定性が確保される。適切であれば、壁は全体として、対応的に厚くなるように実体化されてもよい。通常、円筒形ガイド面は、内壁７０においてのみ実体化される。一方、外壁７１は、通常、円錐形軌跡を取る。
【００７７】
図９は、屈曲性を向上させたピペット側部接合部分１４を持つ実施例を示す。図から見て取れるように、接合部分１４（または、ピペット先端部の第２部分）は、長軸方向に延びる切痕８２であって、軸方向に軟性の成分を形成するように別の物質によって充填される切痕を有する。この軸方向軟性成分８２の物質８２は、接合部分１４の主要部分を構成する物質８０よりも高い弾性を持ち、そのため、接合部分の放射方向の屈曲性を増す。図９に示されるように、切痕８２は、接合要素側部保持要素を受容するためのアンダーカット３４を貫くことが可能である。このタイプの二成分ピペット先端部を製造するためにも、射出成形法を使用することが可能である。さらに、ピペット先端部は、接合部分１４に付着し、軸方向に円錐形に先細りし、接合部分１４から離れた、その軸端において、分量採取される媒体を吸引するための開口を持つ部分８４を有する。
【００７８】
一般に、ピペット先端部の総容量は、特に制限されない。例えば、ピペット先端部は、前述のように、受容領域において、すなわち、ピペット先端部の、分量採取される媒体が受容される領域（受容部分）において、受容容量を持つように構成することが可能である。この受容容量は、媒体を投与するための出口部分を含め、５から２，０００μｌ、好ましくは４０から１，８００μｌ、より好ましくは５０から１，５００μｌである。
【００７９】
ピペット先端部の長さは、受容領域の個別の部分の大きさが定められる場合、所望の容量から通例のやり方で得られる。したがって、ピペット先端部の長さは、一般に、特に限定されない。例えば、ピペット先端部は、５０から１５０ｍｍ、好ましくは６０から１４０ｍｍ、もっとも好ましくは８０から１２０ｍｍの範囲の長さを持つことが可能である。特に好ましい実施例では、５０μｌの受容容量を有するピペット先端部は、６０ｍｍの長さを持ち、２００または１，０００μｌの受容容量を有するピペット先端部は、それぞれ、８０ｍｍの長さを持ち、かつ、１，５００μｌの受容容量を有するピペット先端部は、１２０ｍｍの長さを持つ。
【００８０】
全ての実施例の場合において、ピペット先端部は、ポリプロピレンから成り、静電容量性レベル測定を可能とするために黒鉛を充填することが可能である。
【００８１】
密封要素は、全ての実施例の場合において、フルオロエラストマー、例えば、ＤｕＰｏｎｔから供給されるＶｉｔｏｎ（登録商標）またはＫａｌｒｅｚ（登録商標）から形成することが可能である。分量採取される媒体に応じて、他の弾性材料も同様に適切である可能性がある。
【００８２】
よく「マンドレル」とも呼ばれる、接合要素は、好ましくは耐腐食性金属、例えば、ステンレススチール、または、他の合金、例えば、タンタル、チタン、またはタングステンを含む合金から成る。ではあるが、接合要素を、適切であれば、例えば、電導性プラスチック材料から製造することも可能である。さらに、異なる材料、例えば、プラスチック材料挿入体と組み合わせたステンレススチールから製造される複合体、または、異なる、電導性および非電導性プラスチック材料から成るコンパウンドであることも可能である。
【００８３】
これまで述べてきた実施例の共通の特徴は、これらの実施例では、ピペット先端部を、比較的小さい力で、設置し、かつ、露出することが可能であるということである。これは、一方では、接合要素側部の、屈曲性保持要素のためであり、他方では、ピペット先端部の後端１２の屈曲性領域のために実現される。さらに、接合要素は全て、磨耗の少ない、または磨耗の全く無いシールを実現する。これは、接合要素が、軸密封性要素として実体化されるからである。ガイド要素は、放射方向または側方（ｘおよびｙ方向）の、正確な位置決めを可能とし、ピペット先端部の傾斜を阻止する。それに対し、軸方向（ｚ方向）の位置決めは、一方では、接合要素側部保持要素の、ピペット先端側部保持手段との相互作用、他方では、ショルダー４３の、密封要素２１に対する圧迫によって定められる。このようにして、シールおよび連結は、空間的にも機能的にも互いに分離されるので、ピペット先端部の、接合要素に対する位置的に確実な連結が可能とされる。ピペット先端部および結合要素を、共に、コスト有効的に、かつ、使用時強靭に製造することが可能となる。
【符号の説明】
【００８４】
２：滑走装着方向
４：接合要素
５：貫通孔
６：長軸
８：接合要素の自由端
１０：ピペット先端部
１２：ピペット先端部の後端／第１軸端
１４：ピペット先端部の接合部分
２０：接合要素の第１部分
２１，２１’：密封要素
２２：接合要素の第２部分
２３，２３’：密封部分
２５：第１ガイド要素
２６：第２ガイド要素
２７：環状バネ／保持要素
２８，２９：外方辺縁
３０：環状溝
３１：環状溝の内壁
３４：陥凹／アンダーカット
４０：ピペット先端部の第１部分
４２：ピペット先端部の第２部分
４３：密封部分／ショルダー
４５：第１ガイド面
４６：第２ガイド面
４７：アンダーカット
５０：停止面
５７：カム／保持要素
６０：環状溝
６１，６２：環状溝６０の側壁
６３：環状溝６０の内壁
６５，６６，６７：進入側接帯
６８：挿入傾斜帯
６９：端面
７０：内壁
７１：外壁
７２：ガイド面
７４：ショルダー
８０：第１材料
８２：第２材料
８４：円錐部分
９０：カム／保持要素
９１：切痕
９２：カム／第１ガイド要素
９３：切痕
【図１】
0005511375.tif 000002
【図２】
0005511375.tif 000003
【図３】
0005511375.tif 000004
【図４】
0005511375.tif 000005
【図５】
0005511375.tif 000006
【図６】
0005511375.tif 000007
【図７】
0005511375.tif 000008
【図８】
0005511375.tif 000009
【図９】
0005511375.tif 000010
【図１０】
0005511375.tif 000011
【図１１】
0005511375.tif 000012